(57)【特許請求の範囲】
【請求項１】
車両本体に対し車両の変位可能な素子（１２）を案内するスライダ（１４）を備えた車両であって、前記スライダ（１４）がガイド素子（１６）に沿って移動できるように配置され、プラスチック領域（４０）と金属領域（４２）とを備え、
前記スライダ（１４）を一体型形態とし、前記金属領域（４２）を少なくとも部分的に前記プラスチック領域（４０）でオーバーモールドし、前記スライダ（１４）の車両縦軸方向に離れた２部分（２８、３０）が前記ガイド素子（１６）の周囲に少なくとも部分的に係合するように前記スライダ（１４）を構成し、
前記スライダ（１４）の２部分（２８、３０）を前記プラスチック領域（４０）でオーバーモールドされるばね鋼挿入物として前記金属領域（４２）を構成しており、
前記ガイド素子（１６）が車両縦軸に略平行な方向に配向され、断面が車両縦軸に交差するガイド部（２６）を備え、前記スライダ（１４）が車両縦軸に平行な方向で前記ガイド素子（１６）に沿って前記ガイド部（２６）と相対的に変位できるように、前記スライダ（１４）が前記ガイド部（２６）の断面を受け止める貫通開口（３４）を備えており、
前記プラスチック領域（４０）と金属領域（４２）とは前記ガイド部（２６）の下方側で２つの部分（２８、３０）が車両縦軸方向に連続して配置されており、
前記スライダ（１４）の２部分（２８、３０）の貫通開口（３４）を形成するプラスチック領域（４０）には、ガイド部（２６）の上下面に当接する当接領域（４４）に貫通開口（３４）へ張り出す上下膨出部（４６）が備えられており、
前記スライダ（１４）の２部分（２８、３０）が車両縦軸に交差してスロット（３６）を除く貫通開口（３４）を取り囲み、前記ガイド素子（１６）のガイド部（２６）を受け止めるように前記貫通開口（３４）と前記スロット（３６）を構成することで該ガイド部（２６）が前記スロット（３６）を介して前記貫通開口（３４）と係合可能で、該係合が外れないように固定するために前記貫通開口（３４）領域で前記ガイド部（２６）の幅を前記スロット（３６）よりも広くし、前記スライダ（１４）が車両縦軸に平行な方向で前記ガイド素子（１６）に沿って前記ガイド部（２６）と相対的に変位可能であり、
前記スライダ（１４）は２つの部分（２８、３０）と、ここで２つの部分（２８、３０）は車両縦軸方向に連続して配置されており、該部分（２８、３０）の間に配置された締付領域（３２）とを備え、車両縦軸に交差して配向された第１回転軸の周りを旋回自在に前記スライダ（１４）を搭載するために前記締付領域（３２）に締付ピン（３８）を設けていることを特徴とする車両。
【請求項２】
前記ガイド部（２６）の断面をＬ字状またはＵ字状とし、前記スライダ（１４）の前記貫通開口（３４）をＬ字状またはＵ字状としており、
前記プラスチック領域（４０）と前記金属領域（４２）とはＬ字状またはＵ字状の前記貫通開口（３４）を備えていることを特徴とする、請求項１に記載の車両。
【請求項３】
車両本体に対し車両の変位可能な素子（１２）を案内するスライダ（１４）を備えた車両であって、前記スライダ（１４）がガイド素子（１６）に沿って移動できるように配置され、プラスチック領域（４０）と金属領域（４２）とを備え、
前記スライダ（１４）を一体型形態とし、前記金属領域（４２）を少なくとも部分的に前記プラスチック領域（４０）でオーバーモールドし、前記スライダ（１４）の車両縦軸方向に離れた２部分（２８、３０）が前記ガイド素子（１６）の周囲に少なくとも部分的に係合するように前記スライダ（１４）を構成し、
前記スライダ（１４）の２部分（２８、３０）を前記プラスチック領域（４０）でオーバーモールドされるばね鋼挿入物として前記金属領域（４２）を構成しており、
前記ガイド素子（１６）が車両縦軸に略平行な方向に配向され、断面が車両縦軸に交差するガイド部（２６）を備え、前記スライダ（１４）が車両縦軸に平行な方向で前記ガイド素子（１６）に沿って前記ガイド部（２６）と相対的に変位できるように、前記スライダ（１４）が前記ガイド部（２６）の断面を受け止める貫通開口（３４）を備えており、
前記ガイド部（２６）の断面を上下面及び側面を有する形状とし、前記プラスチック領域（４０）と前記金属領域（４２）とは前記ガイド部（２６）の上下面及び側面に対面する前記貫通開口（３４）を備えており、
前記プラスチック領域（４０）と金属領域（４２）とは前記ガイド部（２６）の下方側で２つの部分（２８、３０）が車両縦軸方向に連続して配置されており、
前記スライダ（１４）の２部分（２８、３０）の貫通開口（３４）を形成するプラスチック領域（４０）には、ガイド部（２６）の上下面に当接する当接領域（４４）に貫通開口（３４）へ張り出してガイド部（２６）を上下から挟む上下膨出部（４６）が備えており、
ガイド部（２６）の下面側の前記プラスチック領域（４０）は、２つの部分（２８、３０）の間の連続する部位で金属領域（４２）が貫通され、かつ金属領域（４２）を少なくとも部分的にプラスチック領域（４０）でオーバーモールドしており、
ガイド部（２６）の上面側及び一側面側の前記金属領域（４２）は、２つの部分（２８、３０）が車両縦軸に平行な方向で離れており、
ガイド部（２６）の上面側及び一側面側の前記プラスチック領域（４０）は、２つの部分（２８、３０）が車両縦軸に平行な方向で離れており、かつ金属領域（４２）の前記離れた２つの部分をプラスチック領域（４０）の前記離れた２つの部分で独立してオーバーモールドしていることを特徴とする車両。
【請求項４】
前記スライダ（１４）の２部分（２８、３０）が車両縦軸に交差してスロット（３６）を除く貫通開口（３４）を取り囲み、前記ガイド素子（１６）のガイド部（２６）を受け止めるように前記貫通開口（３４）と前記スロット（３６）を構成することで該ガイド部（２６）が前記スロット（３６）を介して前記貫通開口（３４）と係合可能で、該係合が外れないように固定するために前記貫通開口（３４）領域で前記ガイド部（２６）の幅を前記スロット（３６）よりも広くし、前記スライダ（１４）が車両縦軸に平行な方向で前記ガイド素子（１６）に沿って前記ガイド部（２６）と相対的に変位可能であり、
前記スライダ（１４）の２部分（２８、３０）のスロット（３６）及び貫通開口（３４）が車両縦軸に平行な方向で離れていることを特徴とする、請求項３に記載の車両。
【請求項５】
前記プラスチック領域（４０）の上下膨出部（４６）は、スライダ（１４）の２つの部分（２８、３０）が車両縦軸に平行な方向で離れており、
前記下膨出部（４６）は、ガイド部（２６）の下面側で２つの部分（２８、３０）が車両縦軸方向に連続して配置されているプラスチック領域（４０）と連続して形成されていることを特徴とする、請求項１〜４のいずれか１項に記載の車両。
【請求項６】
前記金属領域（４２）はガイド部（２６）の他側面側で２つの部分（２８、３０）が車両縦軸方向に連続して配置されており、該部分（２８、３０）の間に配置された締付領域（３２）とを備え、車両縦軸に交差して配向された第１回転軸の周りを旋回自在に前記スライダ（１４）を搭載するために前記締付領域（３２）に締付ピン（３８）を設けていることを特徴とする、請求項３又は４に記載の車両。
【請求項７】
開口を介して前記締付ピン（３８）を前記締付領域（３２）に差し込み、締付が外れないように固定するために、前記開口の背後で前記締付ピン（３８）の差し込み端に好ましくはワッブル式固定手段形式の固定手段を配置することを特徴とする、請求項１又は５に記載の車両。
【請求項８】
前記変位可能な素子が車両ルーフの開口を任意に開閉するカバー（１２）であり、前記ガイド素子（１６）を前記カバー（１２）に配置し、車両縦軸に交差して配向された第２回転軸の周りを旋回可能なティルトレバー（２４）に前記スライダ（１４）を配置し、前記ルーフのルーフ面の上方後方に前記カバー（１２）を移動する間に前記ティルトレバー（２４）を展開してカバー後縁領域で前記カバー（１２）を持ち上げ、前記ルーフ開口と相対的に前記カバー（１２）が移動する間に前記ガイド素子（１６）が前記スライダ（１４）と相対的に移動し、前記スライダ（１４）によって案内されるべく、プラスチック領域（４０）の走行方向の前端面（４８）側と後端面（５０）側とで上下膨出部（４６）の間隔が大きくなって貫通開口（３４）を広げており、
スライダ（１４）の２つの部分（２８、３０）の車両縦軸に平行な方向で離れたプラスチック領域（４０）の前記上下膨出部（４６）は、前記前端面（４８）側の上下膨出部（４６）の後端と前記後端面（５０）側の上下膨出部（４６）の前端とが車両縦軸に平行な方向で離れていることを特徴とする、請求項１〜７のいずれか１項に記載の車両。
【発明の詳細な説明】
【技術分野】
【０００１】
本発明は請求項１の前段に記載の車両に関し、請求項１１の前段に記載のスライダに関する。
【背景技術】
【０００２】
一般的な車両と一般的なスライダについてはＥＰ１２８５７９６Ａ１から知られている。この周知の先行技術文献では、車両ルーフのルーフ開口を任意に開閉するカバー体を変位自在に車両に配置する。車両に対しカバーを移動可能とするためにスライダを設け、ガイドレール形状のガイド素子に沿ってスライダと共に移動できるようにカバーを配置する。この場合のスライダは多数個ある形態で、プラスチック材料と金属からなる個別部品が複数ある。多数個のスライダはＤＥ１０２００８０１７５２６Ｂ３からも知られている。このようなスライダでは複数の部品を組み立ててスライダを形成するので、工具・取付費用が高くなる。更に、特に個別部品が互いにずれる際に多数個のスライダでは騒々しい雑音が生じ得る。また、スライダの個別部品を互いにずらし得るため、周知のスライダでは比較的大きな公差を補償しなければならない。上記の費用に関する点に加え、公差補償は複雑な解決手段を介してのみ実現可能であるという欠点がある。
【先行技術文献】
【特許文献】
【０００３】
【特許文献１】ＥＰ１２８５７９６Ａ１
【特許文献２】ＤＥ１０２００８０１７５２６Ｂ３
【発明の概要】
【発明が解決しようとする課題】
【０００４】
本発明の目的は上記欠点が解消されるようなスライダを備えた車両、またはそのようなスライダを考案することである。
【課題を解決するための手段】
【０００５】
この目的は、請求項１の特徴部分に記載の車両と請求項１１の特徴部分に記載のスライダによって達成される。
【０００６】
発明ではスライダを一体型形態とし、スライダの金属領域を少なくとも部分的または完全にプラスチック領域でオーバーモールドする。
【０００７】
更に、発明に係るスライダの少なくとも一部が少なくとも部分的にガイド素子の周囲に係合するようにスライダを構成する。
【０００８】
これには一体型スライダの製造という利点があり、この製造は特に費用効果があり、搭載が特に簡便となる。２つの構成要素を接続して一体型形態とする結果、スライダ特性が応用例に最適に適合される。このように適切なプラスチック材料（例えばＰＯＭ）を選択することで、スライダの摺動特性が改善し、スライダの移動中に発生する騒々しい雑音を抑制することができる。第２構成要素の材料と形状を適宜選択することによって金属領域、特にスライダの安定性を最適に設定できる。これはスライダが十分安定して派生力を吸収することを意味するだけではなく、金属領域およびこれと共にスライダ全体が適切に弾性変形することによって、公差範囲を含むようにスライダの安定性または弾性を設定可能であることを意味する。このような公差は、スライダを曲線経路に沿って変位させる際に必要となり得る。この程度に弾性変形可能なスライダはガイド素子のガイド部を受け止め
ることもでき、ゆるみを回避するためにガイド部はスライダに付随する開口よりも厚みがあり、つまり大きくされている。発明に係るスライダの場合、スライダの弾性変形、特にスライダの金属領域によって規定されるスライダの弾性変形を適宜設定することで、このような湾曲に適応可能なスライダを提供することができる。公差によってスライダとガイド素子との間に不要なゆるみが生じるが、これによって、周知のスライダのように湾曲を乗り越えるためにスライダの耐性を大きくする必要がなくなる。つまり、発明に係るスライダでは、対応する応用例に対し、特に規定の湾曲および／または大型に規定された付随のガイド素子に対し、材料の厚みや金属領域の形状によって該スライダの金属領域の弾性変形をこのように最適に設定することができる。スライダのプラスチック領域によって、金属領域とは別にスライダの摺動特性を更に改善でき、スライダのプラスチック領域は、少なくとも部分的、好ましくは完全に金属領域を取り囲み、金属領域上に成形される。
【０００９】
発明の好ましい実施形態は従属請求項から読み取れる。
【００１０】
発明の特に好ましい実施形態では、少なくとも部分的にプラスチック領域でオーバーモールドされるばね鋼挿入物として金属領域を構成する。ばね鋼材料を金属領域に用いることで上記利点が更に発揮される。これによって確実にスライダの金属領域、よってスライダ全体が可塑的ではなく弾力的に変形する。よって、スライダが詰まることなく付随ガイド素子の湾曲を乗り越えることができる。スライダと付随ガイド素子とのゆるみ、あるいは回転軸または可動部品をスライダ内に複数設けることが不要になる。更にあるいは代わりに、ゆるみを防止するために金属領域を弾力的に拡張するようにガイド素子を寸法取りすることができる。
【００１１】
ガイド素子が車両縦軸に平行な方向に略配向され、断面が車両縦軸に交差するガイド部を備え、スライダが該断面に対応する貫通開口を備え、貫通開口がガイド部を受け止めることが好ましい。この場合、スライダが車両縦軸に平行な方向でガイド素子に沿ってガイド部と相対的に変位可能で、ガイド部を案内する、またはガイド部によって案内される。この場合、プラスチック領域と金属領域は共に対応するＬ字状貫通開口を備えることができる。搭載の際にガイド部をスライダ内に導入することができ、その後ガイド部から外れないよう固定する。ガイド部と開口の断面はＬ字状またはＵ字状であることが好ましい。
【００１２】
発明の別の実施形態では、車両縦軸に交差してスロットを除く開口を取り囲む部分が少なくとも１つスライダにあり、ガイド素子のガイド部を受け止めるように開口とスロットを構成し、ガイド部がスロットを介して開口に係合可能とする。係合が外れないよう固定するために開口領域でガイド部はスロットより幅が広く、スライダが車両縦軸に平行な方向でガイド素子に沿ってガイド部と相対的に変位可能である。車両縦軸方向に連続して配置された２つの部分と、この部分の間に配置された締付領域をスライダに備えることも可能で、車両縦軸に交差して配向された第１回転軸の周りを旋回自在にスライダを搭載するために、締付領域に締付ピンを配置する。これによってスライダが旋回可能となり、ガイド素子の湾曲をもっと上手くたどることができるという利点がもたらされる。
【００１３】
開口の背後で締付ピンの差し込み端にワッブル式固定手段形態の固定手段を配置し、締付ピンを締付領域の開口を介して差し込み、締付が外れないように固定することが好ましい。これによってスライダの搭載が特に簡便で安定する。
【００１４】
金属領域をプラスチック領域で完全にオーバーモールドする実施形態が特に好ましい。これによって、例えば雑音の発生が最大限防止される。この場合、締付手段（ねじなど）または搭載用工具が金属領域に接近できるようにするために、プラスチック領域を貫通する開口を設けることが可能である。
【００１５】
発明の更に別の特に好ましい実施形態では、変位可能な素子が車両ルーフの開口を任意に開閉するカバーである。ガイド素子をカバー上に配置し、車両縦軸に交差して配向された第２回転軸の周りを旋回可能なティルトレバー上にスライダを配置する。ルーフのルーフ面の上方後方にカバーを移動する間にティルトレバーを展開することで、カバー後縁領域でカバーを持ち上げることができ、カバーをルーフ開口と相対的に移動する間にガイド素子がスライダと相対的に移動し、スライダによって案内される。
【００１６】
発明の更に別の特に好ましい実施形態では、スライダのプラスチック領域にはガイド素子と係合するための当接領域がある。この当接領域は膨出するように構成され、スライドがガイド素子の湾曲半径をたどることができるように膨出部を構成する。次に、主として当接領域の形状によって、詰まることなくガイド素子の湾曲を乗り越える。スライダと、例えばばね鋼からなるスライダの金属領域の弾性の重要性は二次的なものでしかない。そして、ばね鋼は主としてガイド素子の公差を補償するだけでよい。スライダの金属領域にばね鋼を用いる結果、スライダが係合するガイド素子の寸法より小さな開口寸法のスライダを選択することがすることが更に可能で、確実にゆるみのない案内ができる。
【００１７】
添付の図面を参照し、以下に記載例によって発明を更に詳しく説明する。
【図面の簡単な説明】
【００１８】
【図１】発明に係るスライダを備えたサンルーフ装置のカバーの閉状態から開状態への一連の動きを１ａ〜１ｄの描写で示す図。
【図２】図１のスライダを示す図。
【図３】図１のスライダを示す図。
【図４】図１〜図３のスライダのプラスチック領域を除く金属領域を示す図。
【図５】図１のスライダの縦断面を示す図。
【発明を実施するための形態】
【００１９】
図１に車両用サンルーフ装置１０を示す（詳細は不図示）。サンルーフ装置は、車両のルーフで車両の開口を任意に開閉する変位可能なカバー１２を備える。このため、ルーフ開口を開放するために、走行方向の後方に、つまり図１の右側に向けてスライダ１４に沿ってカバー１２が変位可能である。図１を１ａから１ｄの４つの描写に分割し、１ａから１ｄは、図１ａの第１位置から図１ｄまでカバー１２の一連の動きを示す。図１ａの第１位置で、カバー１２は車両ルーフに付随する開口を閉じ、図１ｄで、カバー１２は開口を大きく開放し、走行方向後方に動かされる。後方にカバー１２を開放し変位可能とするために、カバーを車両ルーフの隣接領域より上に持ち上げなければならない。このためにカバー１２の後縁領域をまず持ち上げる（図１ｂ）。カバーの後縁をまず持ち上げた後、カバー１２を後方に動かし（図１ｃ）、この工程で更に後方領域とカバー前縁領域も持ち上げ（図１ｃ）、完全な展開位置になると図１ｄの端位置に達するまでカバー１２を後方にずらす。このため、ルーフに固定して配置されたガイドレール１８に沿って移動できるように、更なるスライダ２０と２２を介してカバー１２を支持する。発明に係るスライダ１４をティルトレバー２４上に配置する。車両ルーフの開放中、つまりカバー１２を走行方向の後方に変位させる間、このティルトレバー２４が後方に旋回し、この工程で持ち上げられる（例えば図１ｄを参照）。この結果、カバーの後縁が上向きに動く。スライダ１４はカバー１２に配置されたガイド素子１６を含む。このようにカバー１２はスライダ２０と２２によって支持されるだけではなく、スライダ１４を介して支持され、スライダ１４が車両ルーフの隣接領域よりも上にカバー後縁を持ち上げる。カバー１２の後方領域でガイド素子１６が上向きに、つまり車両ルーフから離れるように延伸する。このような形状のガイド素子１６が溝穴付きガイドとしてカバー後縁を所望されるように持ち上げる。この場合、（例えばガイド素子とスライダ１２の相互作用によって、または担持体によって）カバー１２自体を動かすことで、または別の駆動装置を介し、ティルトレバー２４を図
１ａの略水平第１位置から図１ｄの略直立位置に展開または旋回することができ、別の駆動装置はカバー１２の駆動装置に結合可能である。スライダ１４は内側に金属領域を有し（図１〜図３では不可視）、内側の金属領域は外側可視プラスチック領域４０でオーバーモールドする。このように内側金属領域がスライダ１２の支持コアを形成する。
【００２０】
図２では、図１のガイド素子１６とそれに付随するスライダ１４を拡大して図示する。既に説明した通り、スライダ１４をティルトレバー２４上に配置する。図２の描写では、走行方向の後方に向かって旋回した位置にあるティルトレバー２４を示す。よって、カバー１２（図２には不図示）の後縁領域が既に部分的または完全に持ち上げられている（図１ｂ〜１ｄを適宜参照）。図２ではスライダ１４が部分的にガイド素子１６のガイド部２６の周囲に係合している。この場合、ガイド部２６はガイド素子１６の隣接領域と共に構成されて全体的にＬ字状になる。スライダ１４には対応するＬ字状開口３４があり、Ｌ字状のガイド部２６を受け止めることができる。ここではガイド部２６がスライダ１４の開口３４内を通り、スライダ１４の背後に部分的に係合する。したがって、スライダ１４は走行方向でガイド素子１６に沿って移動可能であるが、背後で係合されるためスライダ１４がガイド素子１６から外れることが防止される。よって、搭載の際にガイド素子１６のガイド部２６を後方または前方からスライダ１４に挿入する。
【００２１】
図２の発明に係るスライダ１４の詳細について図３を参照して説明する。ここで描写するスライダ１４には、これに付随する図２のガイド素子１６が含まれない。スライダ１４は矩形の開口３４を有することが好ましく、開口３４はスロット３６と共にスライダ１４でＬ字状開口を規定し、ガイド素子１６のＬ字状ガイド部２６を受け止めるように該開口を適宜構成し寸法を取る。スライダ１４が搭載された状態でガイド素子１６、特にガイド部２６がスロット３６を通過し、ガイド部２６がスロット３６を通過してスライダ１４内部に進入し、スライダ１４は開口３４によって形成される。搭載状態では、ガイド部２６の脚部が上下方向でスロット３６内に延伸し、更に脚部が開口３４で水平に配置されるようにＬ字状のガイド部２６を配向する。よって、ガイド部２６の水平領域がスライダ１４の上部の背後に係合し、開口３４の上部と接する。ガイド部２６の水平部分はスライダ１４で上向きに開口するスロット３６の開口幅よりも長いので、スライダ１４とガイド素子１６とを互いに外すことができるのは、前方または後方にガイド素子１６をスライダ１４から引き抜くことができるまでスライダをガイド素子１６に沿って移動する場合に限られる。図１〜４の実施形態ではスライダ１４に第１部分２８と第２部分３０があり、両部分には説明したＬ字形状の開口がある。しかし、原則として、発明に係るスライダはこのような部分を１つのみまたは２つ以上備えることもできる。図示する発明の実施形態では、この２つの部分２８、３０の間に締付領域３２があり、該締付領域３２がスライダ１４をティルトレバー２４に締め付ける。このため、スライダ１４の締付領域３２には穴があり、この穴を介して締付ピン３８が少なくとも部分的に締付領域３２を通過する。スライダ１４を締付ピン３８上に配置し、締付ピン３８の縦軸の周りを旋回自在とする。ここでは車両の縦軸を交差する方向に締付ピン３８の縦軸を配向する。スライダ１４が締付ピン３８から外れないようにするために、好ましくは締付ピン３８のワッブル式固定手段形態の固定手段を設ける。「ワッブル式固定」とは締付ピン３８の一端が塑性変形することを意味する（「筋交い」としても知られる）と理解され、この変形によってスライダ１４と締付ピン３８との接続が離脱不可能になる。次に、締付ピン３８をティルトレバー２４に締め付け、このティルトレバー２４が旋回すると同様に締付ピン３８も旋回する。締付ピン３８がティルトレバー２４またはスライダ１４と相対的に回動可能な形態とする。図３に例示する実施形態では、締付ピン３８をティルトレバー２４に回動可能ではなく固定的に接続するが、スライダ１４は締付ピン３８の周りを回動可能である。このように、スライダ１４がティルトレバー２４と相対的に回動することでガイド素子１６またはそのガイド部２６のカーブをたどることができる。よって、図１ｄに示すように、ガイド素子１６は例えばカバー１２の後方領域で上向きに延伸でき、カバー１２の中央領域で水平に配向さ
れる。この場合、スライダ１４がガイド素子１６の輪郭をたどることができるように、スライダ１４がティルトレバー２４と相対的に適宜旋回する。
【００２２】
旋回の他にも弾力のある弾性変形によって更にスライダ１４を規定の公差または生産関連の公差（例えばガイド素子１６に関するもの）に適用できる。
【００２３】
既に説明したように、２つの構成要素、具体的には金属領域またはプラスチック領域４０からスライダ１４を構築することで、こうした弾性特性を達成できる。これまで説明した図１〜図３では内側の金属領域を取り囲む、好ましくはオーバーモールドする外側のプラスチック領域４０のみを可視とする。この場合、スライダ１４のプラスチック材料のプラスチック領域４０が、例えばＰＯＭ（ポリオキシメチレン）から製造され、または内側の金属領域をオーバーモールドする。
【００２４】
図１〜図３のスライダ１２の内側の金属領域４２を図４に示す。よって、図１〜図３のスライダ１２を図４に図示し、外側のプラスチック領域４０は透明とする（または取り除く）。図３と図４の比較から明らかなように、内側の金属領域４２は全体としてスライダ１４の基本形状と同じである。図１〜図４に例示する実施形態に係るスライダ１４はこのようにかご状の金属領域４２を表し、その形状を保持するようにプラスチック領域４０のプラスチック材料でオーバーモールドする。あるいは、発明に係るスライダの実施形態として、金属領域４２が部分的にしかオーバーモールドされない、または発明に係るスライダ１４の構成要素がすべて金属領域４２の対応金属挿入物で支持されなくてもよい。このように、例えば代替スライダが同様にＬ字状開口を２つ備える一方、内側の金属領域４２がスライダの全体形状の特定素子のみを再生することが可能である。
【００２５】
先行図面のスライダ１４の縦断面を図５に示す。スライダ１４のプラスチック領域４０には当接領域４４があり、ガイド素子１６のガイド部２６と当接する。この当接領域４４には開口３４を広げる膨出部４６があり、これによってガイド部２６が入口側で、つまり走行方向の前端面４８と後端面５０のそれぞれの領域でスライダ１４内に案内される。こうした膨出部４６によってスライダ１４をガイド素子１６の図示湾曲の周囲に案内することができる、またはこれを容易にする。
【符号の説明】
【００２６】
１０   サンルーフ装置
１２   カバー
１４   スライダ
１６   ガイド素子
１８   ガイドレール
２０   スライダ
２２   スライダ
２４   ティルトレバー
２６   ガイド部
２８   第１部分
３０   第２部分
３２   締付領域
３４   開口
３６   スロット
３８   締付ピン
４０   プラスチック領域
４２   金属領域
４４   当接領域
４６   膨出部
４８   前端面
５０   後端面
【図１】
0006423427.tif 000002
【図２】
0006423427.tif 000003
【図３】
0006423427.tif 000004
【図４】
0006423427.tif 000005
【図５】
0006423427.tif 000006